(57)【要約】【課題】 光ピックアップ装置１の構成の複雑化を抑えつつ、第１制振部材41(47)、第２制振部材43(49)、及び第３制振部材45(51)によって低周波域から高周波域までにおけるレンズホルダ15の共振を十分に制振すること。【解決手段】固定ブロック５に第１収容部29(35)、第２収容部31(37)、第３収容部33(39)がレンズホルダ15に接近する方向に沿って順次形成され、第１収容部29(35)、第２収容部31(37)、第３収容部33(39)にサスペンションワイヤ9(11)が貫通するようになっており、第１収容部29(35)、第２収容部31(37)、第３収容部33(39)に可動部であるレンズホルダ15の共振を制振する第１制振部材41(47)、第２制振部材43(49)、第３制振部材45(51)がそれぞれ収容され、第１制振部材41(47)から第３制振部材45(51)にかけて徐々に硬度が小さくなっていること。【選択図】図１
2007257769.tif 000002
【特許請求の範囲】
【請求項１】
光学式記録媒体に対して情報の記録及び／又は前記情報の再生を行う光ピックアップ装置において、
ベース部材と、
前記ベース部材に設けられた固定ブロックと、
一端部が前記固定ブロックにそれぞれ固定され、弾性変形可能な複数本のサスペンションワイヤと、
複数本の前記サスペンションワイヤに一体的に連結され、複数本の前記サスペンションワイヤの弾性変形によって揺動自在に構成され、前記光学式記録媒体に光ビームを集光可能な対物レンズを保持するレンズホルダと、
前記レンズホルダをフォーカス方向及びトラッキング方向へ移動調整する駆動手段と、を備えており、
前記固定ブロックに第１収容部……第ｎ収容部（ｎは、２以上の整数）が前記レンズホルダに接近する方向に沿って順次形成され、前記第１収容部……前記第ｎ収容部に前記サスペンションワイヤが貫通するようになっており、前記第１収容部……前記第ｎ収容部に第１制振部材……第ｎ制振部材がそれぞれ収容され、前記第１制振部材……前記第ｎ制振部材は、異なる硬度を有していることを特徴とする光ピックアップ装置。
【請求項２】
前記第１制振部材から前記第ｎ制振部材にかけて徐々に硬度が小さくなっていることを特徴とする請求項１に記載の光ピックアップ装置。
【発明の詳細な説明】
【技術分野】
【０００１】
本発明は、光ディスク、光磁気ディスク等の光学式記録媒体に対して情報の記録及び／又は前記情報の再生を行う光ピックアップ装置に関する。
【背景技術】
【０００２】
従来の光ピックアップ装置の構成について図７を参照して説明する。
【０００３】
ここで、図７は、従来の光ピックアップ装置の平面図である。なお、「左右」とは、図７において左右、「前後」とは、図７において下上、「上下」とは、図７において紙面の向かって表裏のことである。
【０００４】
図７に示すように、従来の光ピックアップ装置１０１は、板状のベース部材１０３を備えており、このベース部材１０３の左端部には、固定ブロック１０５が設けられている。また、固定ブロック１０５の前部には、左右方向へ延びかつ弾性変形可能な２本のフロントサスペンションワイヤ１０７の一端部がそれぞれ固定されており、固定ブロック１０５の後部には、左右方向へ延びかつ弾性変形可能な２本のリアサスペンションワイヤ１０９の一端部がそれぞれ固定されている。そして、４本のサスペンションワイヤ（２本のフロントサスペンションワイヤ１０７と２本のリアサスペンションワイヤ１０９）には、光ディスク、光磁気ディスク等の光学式記録媒体に光ビームを集光可能な対物レンズ１１１を保持するレンズホルダ１１３が一体的に連結されている。ここで、レンズホルダ１１３は、２本のフロントサスペンションワイヤ１０７及び２本のリアサスペンションワイヤ１０９の弾性変形によって移動するように構成されている。
【０００５】
レンズホルダ１１３には、フォーカス用コイル１１５が巻回するように設けられており、レンズホルダ１１３の前面及び後面には、フォーカス用コイル１１５の磁束と交差する磁束を発生するトラッキング用コイル１１７が設けられている。また、ベース部材１０３には、一対のヨーク１１９がフォーカス用コイル１１５及びトラッキング用コイル１１７を挟むように対向して設けられており、一対のヨーク１１９の対向面には、磁石１２１がそれぞれ設けられている。そして、フォーカス用コイル１１５及びトラッキング用コイル１１７に流す電流を制御することにより、フォーカス用コイル１１５及びトラッキング用コイル１１７からの磁束と、磁石１２１からの磁束との相互作用を発揮させて、レンズホルダ１１３をフォーカス方向Ｄ１及びトラッキング方向Ｄ２へ移動調整できるようになっている。
【０００６】
固定ブロック１０５の前側には、フロント収容部１２３が形成されており、このフロント収容部１２３には、２本のフロントサスペンションワイヤ１０７が貫通するようになっている。また、固定ブロック１０５の前側には、リア収容部１２５が形成されており、このリア収容部１２５には、２本のリアサスペンションワイヤ１０９が貫通するようになっている。そして、フロント収容部１２３には、可動部であるレンズホルダ１１３の共振を制振するフロント制振部材１２７が収容されており、リア収容部１２５には、レンズホルダ１１３の共振を制振するリア制振部材１２９が収容されている。ここで、フロント制振部材１２７及びリア制振部材１２９の硬度は１度以下に設定されている。
【０００７】
なお、本発明に関連する先行技術として特許文献１に示すものがある。
【特許文献１】特開２００３−１５１１５５号公報
【発明の開示】
【発明が解決しようとする課題】
【０００８】
ところで、前述のように、光ピックアップ装置１０１におけるフロント制振部材１２７及びリア制振部材１２９の硬度は１度以下に設定してあって、低周波域（例えば２０〜６０Ｈｚ）のレンズホルダ１１３の共振を十分に制振することができるものであるが、中周波域（例えば１５０〜３００Ｈｚ）及び高周波域（例えば１０００〜３０００Ｈｚ）のレンズホルダ１１３の共振を効果的に制振することが難しいものであった。そのため、アクセス時におけるレンズホルダ１１３の姿勢安定性及び位置決め精度、換言すれば、アクセス時における対物レンズ１１１の姿勢安定性及び位置決め精度を十分に高めることができないという問題がある。
【０００９】
一方、フロント制振部材１２７及びリア制振部材１２９を特許文献１に示すように制振力（減衰力）を可変可能に構成することによって、低周波域から高周波域までにおけるレンズホルダ１１３の共振を制振することも考えられるが、光ピックアップ装置１０１の構成が複雑化して、光ピックアップ装置１０１のコストが高くなる。
【００１０】
そこで、本発明は、構成の複雑化を抑えつつ、低周波域から高周波域までにおけるレンズホルダの共振を十分に制振できる、新規な構成の光ピックアップ装置を提供することを目的とする。
【課題を解決するための手段】
【００１１】
本発明の第１の特徴（請求項１に記載の発明の特徴）は、光学式記録媒体に対して情報の記録及び／又は前記情報の再生を行う光ピックアップ装置において、
ベース部材と、
前記ベース部材に設けられた固定ブロックと、
一端部が前記固定ブロックにそれぞれ固定され、弾性変形可能な複数本のサスペンションワイヤと、
複数本の前記サスペンションワイヤに一体的に連結され、複数本の前記サスペンションワイヤの弾性変形によって揺動自在に構成され、前記光学式記録媒体に光ビームを集光可能な対物レンズを保持するレンズホルダと、
前記レンズホルダをフォーカス方向及びトラッキング方向へ移動調整する駆動手段と、を備えており、
前記固定ブロックに第１収容部……第ｎ収容部（ｎは、２以上の整数）が前記レンズホルダに接近する方向に沿って順次形成され、前記第１収容部……前記第ｎ収容部に前記サスペンションワイヤが貫通するようになっており、前記第１収容部……前記第ｎ収容部に第１制振部材……第ｎ制振部材がそれぞれ収容され、前記第１制振部材……前記第ｎ制振部材は、異なる硬度を有していることである。
【００１２】
本発明の第１の特徴によると、前記固定ブロックに前記第１収容部……前記第ｎ収容部が前記レンズホルダに接近する方向に沿って順次形成され、前記第１収容部……前記第ｎ収容部にそれぞれ収容された前記第１制振部材……前記第ｎ制振部材は異なる硬度を有しているため、前記光ピックアップ装置の構成の複雑化を抑えつつ、前記第１制振部材……前記第ｎ制振部材によって低周波域から高周波域までにおける前記レンズホルダの共振を十分に制振することできる。
【００１３】
本発明の第２の特徴は、第１の特徴に加えて、前記第１制振部材から前記第ｎ制振部材にかけて徐々に硬度が小さくなっていることである。
【発明の効果】
【００１４】
請求項１又は請求項２に記載の発明によれば、前記光ピックアップ装置の構成の複雑化を抑えつつ、前記第１制振部材……前記第ｎ制振部材によって低周波域から高周波域までにおける前記レンズホルダの共振を十分に制振できるため、前記光ピックアップ装置の低コスト化を図りつつ、アクセス時における前記対物レンズの姿勢安定性及び位置決め精度を十分に高めることができる。
【発明を実施するための最良の形態】
【００１５】
本発明の実施形態について図１から図６を参照して説明する。
【００１６】
ここで、図１は、本発明の実施形態に係る光ピックアップ装置の平面図、図２は、本発明の実施形態に係る光ピックアップ装置の側面図、図３は、本発明の実施形態の要部を示す図、図４は、第１制振部材及び第２制振部材がある場合（本発明の実施形態の場合）における周波数応答特性図、図５は、第１制振部材及び第２制振部材が無い場合（比較例の場合）における周波数応答特性図、図６は、第１制振部材及び第２制振部材がある場合と無い場合における低周波域の周波数応答特性図である。なお、「左右」とは、図１から図３において左右、「前後」とは、図１において下上，図２及び図３において紙面に向かって表裏、「上下」とは、図１において紙面に向かって表裏，図２及び３において上下のことである。
【００１７】
図１から図３に示すように、本発明の実施形態に係る光ピックアップ装置１は、光ディスク（コンパクトディスク、ビデオディスク等）、光磁気ディスク等の光学式記録媒体に対して情報の記録及び／又は前記情報の再生を行う装置であって、光ピックアップ装置の具体的な構成は、次のようになる。
【００１８】
即ち、光ピックアップ装置１は、板状のベース部材３を備えており、このベース部材３の左端部には、固定ブロック５が設けられている。また、固定ブロック５の左側面には、回路基板７が設けられてあって、回路基板７の前端部及び後端部は、可撓性をそれぞれ有している。
【００１９】
回路基板７の前部には、左右方向へ延びかつ弾性変形可能な３本のフロントサスペンションワイヤ９の一端部が半田付け又は接着によってそれぞれ固定されており、換言すれば、固定ブロック５の前部には、３本のフロントサスペンションワイヤ９の一端部が回路基板７を介してそれぞれ固定されている。また、回路基板７の後部には、左右方向へ延びかつ弾性変形可能な３本のリアサスペンションワイヤ１１の一端部が半田付け又は接着によってそれぞれ固定されており、換言すれば、固定ブロック５の後部には、３本のリアサスペンションワイヤ１１の一端部が回路基板７を介してそれぞれ固定されている。ここで、３本のフロントサスペンションワイヤ９及び３本のリアサスペンションワイヤ１１は、回路基板７における対応する導体部（図示省略）にそれぞれ電気的に接続されている。
【００２０】
３本のフロントサスペンションワイヤ９及び３本のリアサスペンションワイヤ１１には、光学式記録媒体に光ビームを集光可能な対物レンズ１３を保持するレンズホルダ１５が一体的に連結されている。具体的には、レンズホルダ１５の前面には、３つのフロント連結突起１７が形成されており、３本のフロントサスペンションワイヤ９が対応するフロント連結突起１７にそれぞれ一体的に連結されている。また、レンズホルダ１５の後面には、３つのリア連結突起１９（図中には１つのリア連結突起１９のみ図示）が形成されており、３本のリアサスペンションワイヤ１１が対応するリア連結突起１９にそれぞれ一体的に連結されている。ここで、レンズホルダ１５は、３本のフロントサスペンションワイヤ９及び３本のリアサスペンションワイヤ１１の弾性変形によって揺動自在に構成されている。
【００２１】
レンズホルダ１５には、フォーカス用コイル２１が巻回するように設けられており、レンズホルダ１５の前面及び後面には、フォーカス用コイル２１の磁束と交差する磁束を発生するトラッキング用コイル２３が設けられている。更に、図示は省略するが、レンズホルダ１５の適宜位置には、チルド用コイルが設けられている。ここで、フォーカス用コイル２１、トラッキング用コイル２３、及びチルドコイルは、対応するフロントサスペンションワイヤ９及びリアサスペンションワイヤ１１に電気的に接続されている。
【００２２】
ベース部材３には、一対のヨーク２５がフォーカス用コイル２１、トラッキング用コイル２３、及びチルド用コイルを挟むように対向して設けられており、一対のヨーク２５の対向面には、磁石２７がそれぞれ設けられている。そして、フォーカス用コイル２１、トラッキング用コイル２３、及びチルド用コイルに流す電流を制御することにより、フォーカス用コイル２１、トラッキング用コイル２３、及びチルド用コイルからの磁束と、磁石２７からの磁束との相互作用を発揮させて、レンズホルダ１５をフォーカス方向Ｄ１、トラッキング方向Ｄ２、及びチルド方向Ｄ３へ移動調整できるようになっている。つまり、フォーカス用コイル２１、トラッキング用コイル２３、チルド用コイル、一対のヨーク２５、及び一対の磁石２７は、レンズホルダ１５をフォーカス方向Ｄ１、トラッキング方向Ｄ２、及びチルド方向Ｄ３へ移動調整する駆動手段としての機能を有することになる。
【００２３】
固定ブロック５の前面には、３段に分かれた第１フロント収容部２９、上下に延びた第２フロント収容部３１、上下に延びた第３フロント収容部３３がレンズホルダ１５に接近する方向（右方向）に沿って順次形成されており、第１フロント収容部２９、第２フロント収容部３１、第３フロント収容部３３には、３本のフロントサスペンションワイヤ９が貫通するようになっている。また、固定ブロック５の後面には、３段に分かれた第１リア収容部３５、上下に延びた第２リア収容部３７、上下に延びた第３リア収容部３９がレンズホルダ１５に接近する方向に沿って順次形成されており、第１リア収容部３５、第２リア収容部３７、第３リア収容部３９には、３本のリアサスペンションワイヤ１１が貫通するようになっている。
【００２４】
第１フロント収容部２９、第２フロント収容部３１、及び第３フロント収容部３３には、可動部であるレンズホルダ１５の共振を制振する第１フロント制振部材４１、第２フロント制振部材４３、及び第３フロント制振部材４５がそれぞれ収容されている。また、第１リア収容部３５、第２リア収容部３７、及び第３リア収容部３９には、レンズホルダ１５の共振を制振する第１リア制振部材４７、第２リア制振部材４９、及び第３リア制振部材５１がそれぞれ収容されている。ここで、第１フロント制振部材４１、第２フロント制振部材４３、第３フロント制振部材４５、第１リア制振部材４７、第２リア制振部材４９、及び第３リア制振部材５１は、それぞれＵＶ硬化型樹脂からなるものであるが、シリコンゴムからなるようにしても構わない。
【００２５】
第１フロント制振部材４１及び第１リア制振部材４７が共振周波数１０００〜３０００Ｈｚの高周波域におけるレンズホルダ１５の共振を主として制振するように、第１フロント制振部材４１及び第２リア制振部材４９の硬度（ＪＩＳ Ｋ  ７２１５のデュロメータ（タイプＤ）硬さ試験方法により測定）は９０程度（本発明の実施形態にあっては、８９）に設定されている。また、第２フロント制振部材４３及び第２リア制振部材４９が共振周波数１５０〜３００Ｈｚの中周波域におけるレンズホルダ１５の共振を主として制振するように、第２フロント制振部材４３及び第２リア制振部材４９の硬度は５０程度（本発明の実施形態にあっては、４８）に設定されている。更に、共振周波数２０〜６０Ｈｚの底周波域におけるレンズホルダ１５の共振を主として制振するように、第３フロント制振部材４５及び第３リア制振部材５１が第３フロント制振部材４５及び第３リア制振部材５１の硬度は１度以下に設定されている。つまり、第１フロント制振部材４１から第３フロント制振部材４５にかけて及び第１リア制振部材４７から第３リア制振部材５１にかけて徐々に硬度が小さくなっている。
【００２６】
続いて、本発明の実施形態の作用及び効果について説明する。
【００２７】
固定ブロック５に第１収容部２９（３５）、第２収容部３１（３７）、及び第３収容部３３（３９）がレンズホルダ１５に接近する方向に沿って順次形成され、第１制振部材４１（４７）から第３制振部材４５（５１）にかけて徐々に硬度が小さくなっているため、光ピックアップ装置１の構成の複雑化を抑えつつ、第１制振部材４１（４７）、第２制振部材４３（４９）、及び第３制振部材４５（５１）によって低周波域から高周波域までにおけるレンズホルダ１５の共振を十分に制振することできる。
【００２８】
そして、第１制振部材４１（４７）及び第２制振部材４３（４９）がある場合（本発明の実施形態の場合）における周波数応答特性（図４参照）、第１制振部材４１（４７）及び第２制振部材４３（４９）が無い場合（比較例の場合）における周波数応答特性（図５参照）、第１制振部材４１（４７）及び第２制振部材４３（４９）がある場合と無い場合における低周波域（１００〜３００Ｈｚ）の周波数応答特性（図６参照）からわかるように、実施形態の場合の方が、比較例の場合に比べて、中周波域及び高周波域おけるレンズホルダ１５の共振をより良好に制振できることが確認された。
【００２９】
以上如き、本発明の実施形態によれば、光ピックアップ装置１の構成の複雑化を抑えつつ、第１制振部材４１（４７）、第２制振部材４３（４９）、及び第３制振部材４５（５１）によって低周波域から高周波域までにおけるレンズホルダ１５の共振を十分に制振することできるため、光ピックアップ装置１の低コスト化を図りつつ、アクセス時における対物レンズ１３の姿勢安定性及び位置決め精度を十分に高めることができる。
【００３０】
なお、本発明は、前述の実施形態の説明に限られるものではなく、例えば、収容部は、２以上設けられかつそれぞれに異なる硬度の制振部材が収容されていればよい。また、その硬度がレンズホルダ１５に向かうに従って徐々に小さく設定することが望ましい。更に、本発明は、その他、種々の態様で実施可能である。
【００３１】
また、本発明に包含される権利範囲は、これらの実施形態に限定されないものである。
【図面の簡単な説明】
【００３２】
【図１】本発明の実施形態に係る光ピックアップ装置の平面図である。
【図２】本発明の実施形態に係る光ピックアップ装置の側面図である。
【図３】本発明の実施形態の要部を示す図である。
【図４】第１制振部材及び第２制振部材がある場合（本発明の実施形態の場合）における周波数応答特性図である。
【図５】第１制振部材及び第２制振部材が無い場合（比較例の場合）における周波数応答特性図である。
【図６】第１制振部材及び第２制振部材がある場合と無い場合における低周波域の周波数応答特性図である。
【図７】従来の光ピックアップ装置の平面図である。
【符号の説明】
【００３３】
１：光ピックアップ装置
３：ベース部材
５：固定ブロック
７：回路基板
９：フロントサスペンションワイヤ
１１：リアサスペンションワイヤ
１３：対物レンズ
１５：レンズホルダ
２１：フォーカス用コイル
２３：トラッキング用コイル
２５：ヨーク
２７：磁石
２９：第１フロント収容部
３１：第２フロント収容部
３３：第３フロント収容部
３５：第１リア収容部
３７：第２リア収容部
３９：第３リア収容部
４１：第１フロント制振部材
４３：第２フロント制振部材
４５：第３フロント制振部材
４７：第１リア制振部材
４９：第２リア制振部材
５１：第３リア制振部材
【図１】
2007257769.tif 000003
【図２】
2007257769.tif 000004
【図３】
2007257769.tif 000005
【図４】
2007257769.tif 000006
【図５】
2007257769.tif 000007
【図６】
2007257769.tif 000008
【図７】
2007257769.tif 000009